(57)【特許請求の範囲】
【請求項１】
冷蔵室内に配置される製氷用の水を貯水するための給水タンクと、給水ポンプと、冷凍庫に配置される上記給水タンクから前記給水ポンプによって前記給水タンクから供給された水を貯留し順次製氷する製氷皿と、前記給水タンクと前記給水ポンプと上記製氷皿を結ぶ配管と、ミネラル成分を調整しながら溶出することができるミネラル溶出装置とから構成されて、前記給水ポンプが逆転し、前記給水タンク中に空気を吹き込み水を攪拌させることによって、前記ミネラル溶出装置からミネラル成分を溶出させ、ミネラルを添加した氷を製氷することを特徴とする冷蔵庫。
【請求項２】
冷蔵室内に配置される製氷用の水を貯水するための給水タンクと、給水ポンプと、冷凍庫に配置される上記給水タンクから前記給水ポンプによって前記給水タンクから供給された水を貯留し順次製氷する製氷皿と、前記給水タンクと前記給水ポンプと上記製氷皿を結ぶ配管と、ミネラル成分を調整しながら溶出することができるミネラル溶出装置とから構成されて、前記給水タンクの設置を検知する給水タンク設置検知手段と、前記給水タンク設置検知手段の信号を入力して前記給水ポンプに信号を出力する演算処理装置と、時間の経過を測定することができるタイマ装置とを備え、前記給水タンクの設置を検知した時は、タイマ装置を働かせ前記給水ポンプが設定時間逆転し、前記給水タンク中に空気の吹き込み前記給水タンク中の水が攪拌され、その攪拌によって前記給水タンクで前記ミネラル溶出装置からミネラルが溶出し、ミネラルを添加した水で製氷することを特徴とする冷蔵庫。
【請求項３】
冷蔵室内に配置される製氷用の水を貯水するための給水タンクと、給水ポンプと、冷凍庫に配置される上記給水タンクから前記給水ポンプによって前記給水タンクから供給された水を貯留し順次製氷する製氷皿と、前記給水タンクと前記給水ポンプと上記製氷皿を結ぶ配管と、ミネラル成分を調整しながら溶出することができるミネラル溶出装置とから構成されて、演算処理装置に信号を出力する前記給水ポンプを逆転させるためのミネラル溶出スイッチを備え、前記ミネラル溶出スイッチが押された時は、前記タイマ装置を働かせ前記給水ポンプが設定時間逆転し、前記給水タンク中に空気の吹き込み前記給水タンク中の水が攪拌され、その攪拌によって前記給水タンクで前記ミネラル溶出装置からミネラルを添加し、ミネラルが添加された水で製氷することを特徴とする冷蔵庫。
【請求項４】
給水タンクと給水ポンプと製氷皿を結ぶ配管の前記給水タンク側の給水口が吹き込み空気分散形状であることを特徴とする請求項１から３のいずれかに記載の冷蔵庫。
【発明の詳細な説明】
【０００１】
【発明の属する技術分野】
本発明は自動製氷装置を有する冷蔵庫に関するものである。
【０００２】
【従来の技術】
近年、冷蔵庫に付加価値機能として自動製氷機が組み込まれて使用される事が多い。また、生活のレベル向上に伴って、よりおいしい氷の需要があり、カルキ臭やカビ臭を除去するための活性炭フィルター等を組み込んだ製氷機がある。従来の自動製氷機を有する冷蔵庫としては、特開平７−７７３７１号公報に示されているものがある。
【０００３】
以下、図面を参照しながら上記従来の自動製氷を説明する。
図９は従来の冷蔵庫の断面図である。図９において、１は冷蔵庫本体、２は冷蔵室、３は冷凍室、４は自動製氷装置である。５は給水タンク、６は自給性の給水ポンプ、７は冷凍庫に配される製氷皿であり、８はこれらを結ぶ配管である。９は前記給水タンク内に設置されたフィルターである。
【０００４】
以上の様に構成された冷蔵庫について、以下にその動作を説明する。
まず、給水タンク５に貯えられた水が自給性のある給水ポンプ６によって配管８を経由して製氷皿７に供給される。この時、供給される水はカルキ臭やカビ臭を除去するために脱臭効果のあるフィルター９を通過する。
【０００５】
また、給水後清浄性を保つために、一定時間給水ポンプ６が逆転し、配管８内に残留した水が給水ポンプ６を通じて給水タンク５に回収される。
【０００６】
【発明が解決しようとする課題】
しかしながら、上記従来の構成は給水タンク５に貯えられた水のカルキ臭やカビ臭を除去するのみであり、おいしい氷に必要なミネラルの添加についての配慮は全くない。すなわち、ミネラルを調節した水を給水タンク５中で生成する事ができないために、おいしい氷を製氷することもできないという欠点があった。
【０００７】
本発明は、従来の課題を解決するもので、給水タンク中に貯えられている水にミネラル分を添加し、ミネラル分を添加されたおいしい水で製氷する自動製氷装置を有する冷蔵庫を提供する事を目的とする。
【０００８】
また、上記従来の構造は、給水タンクと給水ポンプと製氷皿を結ぶ配管の給水タンク側の給水口が単数であるため、給水ポンプを逆転させ空気を給水タンク中に吹き込んだ時に空気が給水口から一気に吹き出し、空気の吹き出し音が大きくなるという欠点があった。
【０００９】
本発明の他の目的は、給水ポンプを逆転させ空気を吹き込んだ時の吹き出し音を低減させることである。
【００１０】
【課題を解決するための手段】
この目的を達成するために本発明は、冷蔵室内に配置される製氷用の水を貯水するための給水タンクと、給水ポンプと、冷凍庫に配置される上記給水タンクから前記給水ポンプによって前記給水タンクから供給された水を貯留し順次製氷する製氷皿と、前記給水タンクと前記給水ポンプと上記製氷皿を結ぶ配管と、ミネラル成分を調整しながら溶出することができるミネラル溶出装置とから構成されて、前記給水タンク中で前記ミネラル溶出装置によってミネラル成分を添加し、ミネラル成分が添加された水で製氷するものにおいて、前記ミネラル溶出装置は給水タンクに脱着可能とし、内部にミネラル溶出剤を有したカセット形状で開口部を有し、前記開口部に水を通す覆い部材を備え、前記覆い部材によってミネラル溶出量をコントロールすることを特徴とする自動製氷装置を備えたものである。
【００１１】
これにより、ミネラル成分を添加したおいしい氷を製氷することができる。
また、前記給水ポンプが逆転し、前記給水タンク中に空気を吹き込み水を攪拌させることによって、前記ミネラル溶出装置からミネラル成分を溶出させ、ミネラルを添加した氷を製氷することとしたのである。
【００１２】
これにより、前記ミネラル溶出装置からのミネラル成分の溶出が効果的に行えることができるため、ミネラル成分を添加したおいしい氷を製氷することができる。
【００１３】
また、前記給水タンクの設置を検知する給水タンク設置検知手段と、前記給水タンク設置検知手段の信号を入力して前記給水ポンプに信号を出力する演算処理装置と、時間の経過を測定することができるタイマ装置を備え、前記給水タンクの設置を検知した時は、前記タイマ装置を働かせ、前記給水ポンプが設定時間逆転し、前記給水タンク中に空気の吹き込み前記給水タンク中の水が攪拌され、その攪拌によって前記給水タンクで前記ミネラル溶出装置からミネラルが溶出し、ミネラルを添加した水で製氷することとしたのである。
【００１４】
これにより、前記給水タンクが設置された時に前記給水ポンプをある一定時間逆転し前記給水タンク中に空気を吹き込み水を攪拌させ前記ミネラル溶出装置からミネラル成分を溶出させるため、一回目の給水からミネラル成分を添加した氷を製氷することができる。
【００１５】
また、前記演算処理装置に信号を出力する前記給水ポンプを逆転させるためのミネラル溶出スイッチを備え、前記ミネラル溶出スイッチが押された時は、前記タイマ装置を働かせ前記給水ポンプが設定時間逆転し、前記給水タンク中に空気の吹き込み前記給水タンク中の水が攪拌され、その攪拌によって前記給水タンクで前記ミネラル溶出装置からミネラルを添加し、ミネラルが添加された水で製氷することとしたのである。
【００１６】
これにより、前記ミネラル溶出スイッチが押された時のみ前記給水ポンプが一定時間逆転し前記給水タンク中に前記ミネラル溶出装置からミネラル成分を溶出させるため、ミネラルを添加したおいしい氷を製氷させたい時に、ミネラルを添加したおいしい水によって製氷することができる。
【００１７】
また、前記給水タンクと前記給水ポンプと前記製氷皿を結ぶ前記配管の給水タンク側の給水口が吹き込み空気分細形状であることとしたのである。
【００１８】
これにより、前記給水ポンプを逆転させ空気を前記給水タンク中に吹き込んだ時に空気が前記給水口から一気に吹き出し、空気の吹き出し音が大きくなるということがなく、前記給水口から吹き出す空気が細かく分散されて、前記給水ポンプを逆転させ空気を吹き込んだ時の吹き出し音を低減させることができる。
【００１９】
【発明の実施の形態】
この目的を達成するために本発明は、冷蔵庫内及び冷凍庫内に自動製氷装置を備えた冷蔵庫本体と、冷蔵室内に配される製氷用の水を貯水するための給水タンクと、自給性のある給水ポンプと、冷凍庫に配される上記給水タンクから前記給水ポンプによって前記給水タンクから供給された水を貯留し順次製氷する製氷皿と、前記給水タンクと前記給水ポンプと上記製氷皿を結ぶ配管と、ミネラル成分を調整しながら溶出することができるミネラル溶出装置とから構成されて、前記給水タンク中で前記ミネラル溶出装置によってミネラル成分を添加し、ミネラル成分が添加された水で製氷するものにおいて、前記ミネラル溶出装置は給水タンクに脱着可能とし、内部にミネラル溶出剤を有したカセット形状で開口部を有し、前記開口部に水を通す覆い部材を備え、前記覆い部材によってミネラル溶出量をコントロールすることを特徴とする自動製氷装置を備えたものである。
【００２０】
そして、ミネラル成分を添加したおいしい氷を製氷することとなる。
また、前記給水ポンプが逆転し、前記給水タンク中に空気を吹き込み水を攪拌させることによって、前記ミネラル溶出装置からミネラル成分を溶出させ、ミネラルを添加した氷を製氷することとしたものである。
【００２１】
そして、前記ミネラル溶出装置からのミネラル成分の溶出が効果的に行えることとなるため、ミネラル成分を添加したおいしい氷を製氷することとなる。
【００２２】
また、前記給水タンクの設置を検知する給水タンク設置検知手段と、前記給水タンク設置検知手段の信号を入力して前記給水ポンプに信号を出力する演算処理装置と、時間の経過を測定することができるタイマ装置を備え、前記給水タンクの設置を検知した時は、前記タイマ装置を働かせ前記給水ポンプが設定時間逆転し、前記給水タンク中に空気の吹き込み前記給水タンク中の水が攪拌され、その攪拌によって前記給水タンクで前記ミネラル溶出装置からミネラルが溶出し、ミネラルを添加した水で製氷することとしたものである。
【００２３】
そして、前記給水タンクが設置された時に前記給水ポンプをある一定時間逆転し前記給水タンク中に空気を吹き込み水を攪拌させ前記ミネラル溶出装置からミネラル成分を溶出させるため、一回目の給水からミネラル成分を添加した氷を製氷することとなる。
【００２４】
また、前記演算処理装置に信号を出力する前記給水ポンプを逆転させるためのミネラル溶出スイッチを備え、前記ミネラル溶出スイッチが押された時は、前記タイマ装置を働かせ前記給水ポンプが設定時間逆転し、前記給水タンク中に空気の吹き込み前記給水タンク中の水が攪拌され、その攪拌によって前記給水タンクで前記ミネラル溶出装置からミネラルを添加し、ミネラルが添加された水で製氷することとしたものである。
【００２５】
そして、前記ミネラル溶出スイッチが押された時のみ前記給水ポンプが一定時間逆転し前記給水タンク中に前記ミネラル溶出装置からミネラル成分を溶出させるため、ミネラルを添加したおいしい氷を製氷させたい時に、ミネラルを添加したおいしい水によって製氷することとなる。
【００２６】
また、前記給水タンクと前記給水ポンプと前記製氷皿を結ぶ前記配管の給水タンク側の給水口が吹き込み空気分細形状であることとしたものである。
【００２７】
そして、前記給水ポンプを逆転させ空気を前記給水タンク中に吹き込んだ時に空気が前記給水口から一気に吹き出し、空気の吹き出し音が大きくなるということがなく、前記給水口から吹き出す空気が細かく分散されて、前記給水ポンプを逆転させ空気を吹き込んだ時の吹き出し音を低減させることとなる。
【００２８】
【実施例】
以下、本発明の冷蔵庫について、図面を参照しながら説明する。なお、従来例と同一構成については、同一符号を付して詳細な説明を省略する。
【００２９】
（実施例１）
図１は、本発明の実施例１による冷蔵庫の断面図である。図２は同実施例の冷蔵庫の自動製氷装置に設置されているミネラル溶出装置の拡大断面図である。
【００３０】
図１，図２において、１０は給水タンク５中に一定量ミネラル成分を調整しながら添加する手段としてのミネラル溶出装置で、給水タンク５に脱着可能であり、カセット形状もしくはカートリッジ形状をしている。１１はミネラル溶出装置１０にパックされているミネラル溶出剤で、ミネラル溶出剤１１は、カルシウム剤やマグネシウム剤である。１２はこのミネラル溶出剤１１が給水タンク５中に溶出していくための開口部である。この開口部１２の面積によって、ミネラル溶出装置１０から給水タンク５に溶出するミネラル溶出量をコントロールする。
【００３１】
また、抗菌効果を持たせる点から、抗菌剤を添加したミネラル溶出剤１１、抗菌剤を添加した活性炭、又は抗菌剤を添加したペレットをミネラル溶出装置１０にパックする。
【００３２】
また、ミネラル溶出装置１０の開口部１２は、水は通すがパックされたミネラル溶出剤１１は通さない不織布で覆い、この不織布の厚さによって、ミネラル溶出装置１０にパックされたミネラル溶出剤１１の給水タンク５中へのミネラル溶出量をコントロールすることができる。また、開口部１２に一定濃度以上はミネラルを通さなくなる浸透膜で覆うことによっても、ミネラル溶出をコントロールすることができる。
【００３３】
また、ミネラル溶出装置１０は透明であり、パックされたミネラル溶出剤１１が透けて見えるケースにすることが、ミネラル溶出剤１１が溶出して無くなったことが分かりやすくなり、ミネラル溶出装置１０の交換時期を判断しやすくなる点から好ましい。
【００３４】
以上の様に構成された冷蔵庫の自動製氷装置４において以下にその動作を示す。
【００３５】
給水タンク５に設置されたミネラル溶出装置１０から、ミネラル溶出装置１０にパックされているミネラル溶出剤１１がミネラル溶出装置１０の開口部１２からミネラル溶出量をコントロールしながら溶出し、給水タンク５に貯えられている水に一定量のミネラルを添加する。この給水タンク５中のミネラルを添加された水は、自給性のある給水ポンプ６によって配管８を通り製氷皿７に給水され、製氷される。
【００３６】
以上のように、給水タンク５にミネラルが一定量溶出するミネラル溶出装置１０を装着し給水タンク５中に貯えられている水にミネラルを添加することができたので、一定量ミネラルを添加したおいしい氷を製氷することができる。
【００３７】
（実施例２）
図３は本発明の実施例２による冷蔵庫の断面図である。
【００３８】
本実施例は、実施例１による冷蔵庫と同一の構成である。
図３のように構成された自動製氷装置４において以下にその動作を示す。
【００３９】
ミネラル溶出装置１０を給水タンク５に装着することによって、給水タンク５中に貯えられている水にミネラル溶出装置１０の開口部１２の面積、及び、開口部１２に覆われた不織布もしくは浸透膜でコントロールしながらミネラルを溶出させ、一定量ミネラルを添加した水で製氷することはできる。しかしながら、ミネラル溶出装置１０は給水タンク５に貯えられている水に浸漬することによってミネラルを溶出させているので、ミネラル溶出装置１０からのミネラル溶出スピードが遅くなってしまうことが予測される。すなわち、ミネラル溶出装置１０から効果的にミネラルを溶出させることができなかった。
【００４０】
そこで、給水タンク５に貯えられた水を製氷皿７に給水するために用いられた自給性のある給水ポンプ６を逆転させ、給水タンク５中に貯えられている水に空気を吹き込み水を循環させる事によって、ミネラル溶出装置１０からのミネラルを効果的に溶出させることとする。これにより、ミネラル溶出装置１０からのミネラル溶出スピードを早くできる。もしくは、給水ポンプ６を逆転させた時のみ、ミネラル溶出装置１０からミネラルを溶出させることができるものとなる。
【００４１】
また、ミネラル溶出装置１０は配管８の給水タンク５側の給水口より高い位置に設置する事が、給水ポンプ６を逆転させ空気を吹き込み水を循環させた時に水が循環しやすくなるため、ミネラルの溶出がさらに効果的に行えるという点から好ましい。また、ミネラル溶出装置１０を配管８の給水タンク５側の給水口の真上付近に設置することは、水がさらに循環しやすい位置となりミネラルがさらに溶出しやすくなるという点からさらに好ましい。
【００４２】
なお、製氷させようとする水に気体が溶存していると、製氷したときに氷の中に気泡となって現れ、白く濁る原因となる。この溶存している気体を除去する方法として、製氷する前の水に空気を吹き込み水中に溶存している気体を吹き込まれた空気に吸着させ、吹き込まれた空気とともに水中から放出させる事は一般的によく知られている。今回、給水ポンプ５を逆転させ空気を吹き込み水を循環させてミネラル溶出装置１０からミネラルを溶出させるが、空気を給水タンク５中に吹き込む事によって溶存気体を除去し、白濁のない氷を製氷できる効果も同時に得ることができる。
【００４３】
また、給水ポンプ６を給水動作後に逆転させることが、従来例でも説明したように給水動作時に給水ポンプ６及び配管８に残る水を給水タンク５に回収するため給水ポンプ６を逆転させる点から、ミネラル溶出のための給水ポンプ６の逆転動作も給水動作後に行うことが好ましい。
【００４４】
（実施例３）
図４は、本発明の実施例３による冷蔵庫のブロック図である。図５は同実施例の冷蔵庫の自動製氷装置の動作を示すフローチャートである。
【００４５】
図４において、１３は給水タンク５が自動製氷装置４の設置されたかどうかを検知することができる給水タンク設置検知手段であり、給水タンク設置検知手段１３としてはリードスイッチや位置検出スイッチ等が適用できる。１４は前記給水タンク設置検知手段１３からの信号を入力して給水タンク６に信号を出力する演算処理装置で、１５は時間の経過を測定することができるタイマ装置である。
【００４６】
本実施例は、実施例２による自動製氷装置４に、さらに給水タンク設置検知手段１３と、演算処理装置１４と、タイマ装置１５を設けたものである。
【００４７】
以上のように構成された自動製氷装置について、以下にその動作を図５のフローチャートをもとにして説明する。
【００４８】
ステップ１で、給水タンク５が自動製氷装置４に設置されたかどうかを、給水タンク設置検知手段１３の信号から演算処理装置１４を用いて調べる。給水タンク５が設置されている場合は、ステップ１の動作をくり返し行う。ステップ１で給水タンク５が自動製氷装置４に設置されていないと判断した場合は次のステップ２へ進む。
【００４９】
ステップ２では、給水タンク５が自動製氷装置４に設置されたかどうかを、給水タンク設置検知手段１３の信号から演算処理装置１４を用いて調べる。給水タンク５が設置されていない場合は、ステップ２の動作をくり返し行う。ステップ２で給水タンク５が自動製氷装置４に設置されていると判断した場合は次のステップ３へ進む。ステップ３では、演算処理装置１４が給水ポンプ６に信号を出し、給水ポンプ６を逆転させて給水タンク５に空気を吹き込む。
【００５０】
ステップ４では、設定時間が経過したかどうかをタイマ装置の信号から演算処理装置１４を用いて調べる。設定時間が経過していない場合は、ステップ４の処理をくり返し行う。ステップ４で一定時間経過したと判断した場合は、次のステップ５へ進む。
【００５１】
ステップ５では、給水ポンプ６に逆転を停止するように信号を出す。
給水ポンプ６を逆転させ給水タンク５中の水に空気を吹き込み水を循環させミネラル溶出装置１０からミネラルを溶出させていたが、給水タンクを設置した時に給水ポンプが逆転するとは限らず、初回の給水からミネラルを添加したおいしい氷を製氷できるとは限らなかった。しかしながら、以上のように、本実施例の自動製氷装置は、給水タンク５を自動製氷装置４に設置したときに一定時間給水ポンプを逆転させ空気を吹き込み給水タンク５中に貯えられている水を循環させミネラル溶出装置１０からミネラル成分溶出させるため、一回目の給水からミネラルを添加したおいしい氷を製氷することができる。
【００５２】
（実施例４）
図６は本発明の実施例４による冷蔵庫のブロック図である。図７は同実施例の冷蔵庫の自動製氷装置のフローチャートである。
【００５３】
図６において、１６は給水ポンプ６を逆転するミネラル溶出スイッチである。演算処理装置１４はミネラル溶出スイッチ１６の信号を入力して給水ポンプ６に信号を出力する。
【００５４】
本実施例は、実施例３による自動製氷装置４に、さらにミネラル溶出スイッチ１６を設けたものである。
【００５５】
以上のように構成された自動製氷装置において、以下にその動作を図７の動作を示すフローチャートをもとにして説明する。
【００５６】
ステップ１では、ミネラル溶出スイッチ１６が押されたかどうかを演算処理装置１４を用いて調べる。ミネラル溶出スイッチ１６が押されていない場合は、ステップ１の処理を繰り返し行う。ステップ１でミネラル溶出スイッチが押されたと判断した場合は次のステップ２へ進む。
【００５７】
ステップ２では、演算処理装置１４が給水ポンプ６に信号を出し、給水ポンプ６を逆転させて給水タンク５に空気を吹き込む。
【００５８】
ステップ３では、設定時間が経過したかどうかをタイマ装置の信号から演算処理装置１４を用いて調べる。設定時間が経過していない場合は、ステップ３の処理をくり返し行う。
【００５９】
ステップ３で一定時間経過したと判断した場合は、次のステップ４へ進む。
ステップ４では、給水ポンプ６に逆転を停止するように信号を出す。
【００６０】
給水タンク５を自動製氷装置４に設置したときに一定時間給水ポンプを逆転させ空気を吹き込み給水タンク５中に貯えられている水を循環させミネラル溶出装置１０からミネラル成分溶出させているが、ミネラルを添加したおいしい水で製氷したくないときにもミネラル成分を溶出させてしまう問題があった。しかしながら、以上のように、本実施例の自動製氷装置は、ミネラル溶出スイッチを押したときにのみ給水ポンプ５が逆転するため、ミネラルを添加した水で製氷したいときのみミネラルを添加したおいしい氷を製氷することができる。
【００６１】
（実施例５）
図８は本発明の自動製氷装置における給水タンクと製氷皿と給水ポンプを結ぶ配管の給水タンク側の給水口先端の形状の概略図である。
【００６２】
本実施例は、実施例１至４のように構成された冷蔵庫の自動製氷装置４と同一の構造である。
【００６３】
この吹き込み空気分散形状は、直径１から２ｍｍほどの小さな穴を多数開けたような形状をしており、この個々の小さな穴から給水ポンプ６によって吹き込まれた空気が分散されて吹きだすこととなる。また、細かいスリットを開けても、給水ポンプ６によって吹き込まれた空気が分散されて吹きだすこととなる。
【００６４】
自動製氷装置４では、給水ポンプ６を逆転させ給水タンク５に空気を吹き込んだ時に、吹き込まれた空気が給水口から一気に吹き出し、空気の吹き出し音が大きくなるという問題があった。そこで、配管８の給水タンク５側の給水口の形状を吹き込み空気分散形状とすることにより、給水ポンプ６によって吹き込まれた空気が給水口から一気に吹き出し空気の吹き出し、音が大きくなるといったことがなく、吹き込み空気が細かく分散されて、空気の吹き出し音を低減させることができる。
【００６５】
【発明の効果】
以上のように本発明は、冷蔵庫内及び冷凍庫内に自動製氷装置を備えた冷蔵庫本体と、冷蔵室内に配される製氷用の水を貯水するための給水タンクと、自給性のある給水ポンプと、冷凍庫に配される上記給水タンクから前記給水ポンプによって前記給水タンクから供給された水を貯留し順次製氷する製氷皿と、前記給水タンクと前記給水ポンプと上記製氷皿を結ぶ配管と、ミネラル成分を調整しながら溶出することができるミネラル溶出装置とから構成されて、前記給水タンク中で前記ミネラル溶出装置によってミネラル成分を添加し、ミネラル成分が添加された水で製氷するものにおいて、前記ミネラル溶出装置は給水タンクに脱着可能とし、内部にミネラル溶出剤を有したカセット形状で開口部を有し、前記開口部に水を通す覆い部材を備え、前記覆い部材によってミネラル溶出量をコントロールすることを特徴とする自動製氷装置を備えたので、ミネラル成分を添加したおいしい氷を製氷することができる。
【００６６】
また、前記給水ポンプが逆転し、前記給水タンク中に空気を吹き込み水を攪拌させることによって、前記ミネラル溶出装置からのミネラル成分の溶出を効果的に行えることとしたので、ミネラル成分を添加したおいしい氷を製氷することができる。
【００６７】
また、前記給水タンクの設置を検知する給水タンク設置検知手段と、前記給水タンク設置検知手段の信号を入力して前記給水ポンプに信号を出力する演算処理装置と、時間の経過を測定することができるタイマ装置を備え、前記給水タンクの設置を検知した時は、前記タイマ装置を働かせ前記給水ポンプが設定時間逆転し、前記給水タンク中に空気の吹き込み前記給水タンク中の水が攪拌され、その攪拌によって前記給水タンクで前記ミネラル溶出装置からミネラルが溶出し、ミネラルを添加した水で製氷することとしたので、一回目の給水からミネラル成分を添加した氷を製氷することができる。
【００６８】
また、前記演算処理装置に信号を出力する前記給水ポンプを逆転させるためのミネラル溶出スイッチを備え、前記ミネラル溶出スイッチが押された時は、前記タイマ装置を働かし前記給水ポンプが設定時間逆転し、前記給水タンク中に空気の吹き込み前記給水タンク中の水が攪拌され、その攪拌によって前記給水タンクで前記ミネラル溶出装置からミネラルを添加し、ミネラルが添加された水で製氷することとしたので、ミネラルを添加したおいしい氷を製氷させたい時に、ミネラルを添加したおいしい水によって製氷することができる。
【００６９】
また、前記給水タンクと前記給水ポンプと前記製氷皿を結ぶ前記配管の給水タンク側の給水口を吹き込み空気分細形状であることとしたので、前記給水ポンプを逆転させ空気を前記給水タンク中に吹き込んだ時に空気が前記給水口から一気に吹き出し、空気の吹き出し音が大きくなるということがなく、前記給水口から吹き出す空気が細かく分散されて、前記給水ポンプを逆転させ空気を吹き込んだ時の吹き出し音を低減させることができる。
【図面の簡単な説明】
【図１】本発明による自動製氷装置に関する冷蔵庫の実施例１の断面図
【図２】同実施例のミネラル溶出装置の拡大断面図
【図３】本発明による自動製氷装置に関する冷蔵庫の実施例２の断面図
【図４】本発明による自動製氷装置に関する冷蔵庫のブロック図
【図５】実施例の冷蔵庫の自動製氷装置の動作を示すフローチャート
【図６】本発明による自動製氷装置に関する冷蔵庫の実施例４のブロック図
【図７】実施例の冷蔵庫の自動製氷装置の動作を示すフローチャート
【図８】本発明による自動製氷装置に関する冷蔵庫の実施例４の給水タンクの概略図
【図９】従来の冷蔵庫の断面図
【符号の説明】
１  冷蔵庫本体
５  給水タンク
６  給水ポンプ
７  製氷皿
８  配管
１０  ミネラル溶出装置
１３  給水タンク設置検知手段
１４  演算処理装置
１５  タイマ装置
１６  ミネラル溶出スイッチ
【図１】
0003575974.tif 000002
【図２】
0003575974.tif 000003
【図３】
0003575974.tif 000004
【図４】
0003575974.tif 000005
【図５】
0003575974.tif 000006
【図６】
0003575974.tif 000007
【図７】
0003575974.tif 000008
【図８】
0003575974.tif 000009
【図９】
0003575974.tif 000010